(57)【要約】【課題】遊技機の制御基板を容易に交換できかつ制御基板が脱落するのを防止できる遊技機を提供すること。【解決手段】遊技機１は、リールユニット７３と、停止ボタンと、主制御回路７１１と、画像表示手段と、副制御ユニット７２と、これら手段が設けられた筐体４と、を備える。筐体は、キャビネットと、このキャビネットを開閉する前面ドアと、を備える。前面ドアは、前面ドア本体と、この前面ドア本体の裏面に設けられたミドルドア４０と、を備える。ミドルドア４０は、ミドルドア本体４０ｂと、ミドルドア本体４０ｂに着脱可能に取り付けられて主制御回路７１１を収容する主制御回路収容ケース７１２と、主制御回路収容ケース７１２をミドルドア本体４０ｂに固定する第１の固定機構８１０，第２の固定機構９００と、を備える。【選択図】図４
2007229431.tif 000002
【特許請求の範囲】
【請求項１】
遊技に必要な識別情報を変動表示する変動表示手段と、遊技者が操作可能な操作手段と、遊技者による前記操作手段の操作に基づいて前記変動表示手段を制御する主制御手段と、画像表示による演出を行う画像表示手段と、前記主制御手段から送信される信号に基づいて前記画像表示手段を制御する副制御手段と、これら手段が設けられた筐体と、を備える遊技機であって、
前記筐体は、キャビネットと、このキャビネットを開閉する前面ドアと、を備え、
前記前面ドアは、前面ドア本体と、この前面ドア本体の裏面に設けられた内部ドアと、を備え、
前記内部ドアは、内部ドア本体と、
この内部ドア本体に着脱可能に取り付けられて前記主制御手段を収容する主制御収容手段と、
前記主制御収容手段を前記内部ドア本体に固定する固定手段と、を備えることを特徴とする遊技機。
【請求項２】
請求項１に記載の遊技機において、
前記主制御収容手段は、前記内部ドア本体に対して着脱可能であり、
前記主制御収容手段には、位置決め突起が形成され、
前記内部ドア本体には、前記位置決め突起が嵌合される位置決め穴が形成されることを特徴とする遊技機。
【請求項３】
請求項１または２に記載の遊技機において、
前記固定手段は、前記主制御収容手段から延出する爪部と、
前記内部ドア本体から延出する平板部と、を備え、
前記平板部には、前記爪部が係止される開口が形成されることを特徴とする遊技機。
【請求項４】
請求項１から３のいずれかに記載の遊技機において、
前記固定手段は、前記内部ドア本体に形成された第１の挿通孔と、
前記主制御収容手段に形成され、前記内部ドア本体に取り付けられた状態では、前記内部ドア本体の第１の挿通孔に一致する第２の挿通孔と、
前記第１の挿通孔及び前記第２の挿通孔に挿通される固定ピンと、を備え、
前記固定ピンは、所定長さの首部と、この首部の一端に設けられた頭部と、を備え、
前記固定ピンの首部には、突起が形成され、
前記第２の挿通孔には、前記固定ピンの頭部が係止可能であり、
前記第１の挿通孔の内部には、前記固定ピンの挿通方向に傾斜した係止片が突設されることを特徴とする遊技機。
【請求項５】
請求項１から４のいずれかに記載の遊技機において、
前記内部ドアは、前記主制御収容手段が前記内部ドア本体に取り付けられた状態で、前記主制御収容手段を前記内部ドア本体に固定する施錠手段を備え、
前記施錠手段は、前記内部ドア本体に設けられ鍵が挿入された状態で固定片を回動可能にする施錠部と、
前記主制御収容手段に形成され前記固定片が回動して係止する係止部と、を備えることを特徴とする遊技機。
【請求項６】
請求項５に記載の遊技機において、
前記内部ドアは、前記前面ドア本体に対して開放可能に設けられ、
前記施錠手段の施錠部は、前記内部ドア本体の前記前面ドア側に設けられ、
前記内部ドアは、前記施錠部を前記前面ドア側から覆う施錠部カバーを備えることを特徴とする遊技機。
【請求項７】
請求項６に記載の遊技機において、
前記主制御収容手段には、当該主制御収容手段が前記内部ドア本体に取り付けられた状態で、前記施錠部カバーを前記内部ドア本体に固定する固定部が形成されていることを特徴とする遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を表示する機械的回転リールを複数配列して構成した変動表示装置、或いはリール上の図柄を画面に表示する電気的変動表示装置を有する。遊技者のスタート操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にコイン、メダル等の遊技媒体を払出すことで遊技者に利益を付与するものである。
【０００３】
現在主流の機種は、複数種類の入賞態様を有するものである。特に、所定の役の入賞が成立したときは、１回のコインの払出しに終わらず、所定期間、通常の状態よりも条件の良い遊技状態となる。このような役として、遊技者に相対的に大きい利益を与えるゲームが所定回数行える役（「ビッグボーナス」と称し、以下「ＢＢ」と略記する）と、遊技者に相対的に小さい利益を与える遊技を所定ゲーム数行える役（「レギュラーボーナス」と称し、以下「ＲＢ」と略記する）がある。
【０００４】
また、現在主流の機種においては、有効化された成立ライン（以下「有効ライン」という）に沿って所定の図柄の組合せが並び、コイン、メダル等が払出される入賞が成立するには、内部的な抽籤処理（以下「内部抽籤」という）により役に当籤（以下「内部当籤」という）し、且つその内部当籤した役（以下「内部当籤役」という）の入賞成立を示す図柄の組合せを有効ラインに停止できるタイミングで遊技者が停止操作を行うことが要求される。つまり、いくら内部当籤したとしても、遊技者の停止操作のタイミングが悪いと入賞を成立させることができない。すなわち、停止操作のタイミングに熟練した技術が要求される（「目押し」といわれる技術介入性の比重が高い）遊技機が現在の主流である。
【０００５】
ここで、上述の制御手段は、具体的には、ＭＰＵやメモリが配置された制御基板で構成され、キャビネット内部に固定される（例えば、特許文献１参照）。
【０００６】
特許文献１の遊技機では、回路基板を基台に嵌め込み、この基台に透明カバーを取り付けて、回路装置を構成する。この回路装置をキャビネット内面にねじ止めする。
この特許文献１の遊技機によれば、制御基板を確実に遊技機に固定できる。
【特許文献１】特開２００３−９３６９８号公報
【発明の開示】
【発明が解決しようとする課題】
【０００７】
ところで、機種変更や修理のため制御基板の交換が必要となる場合がある。この場合、交換作業をできるだけ容易に行いたいという要望がある。
しかしながら、特許文献１の遊技機では、制御基板を遊技機のキャビネット内面に固定ねじでねじ止めするため、制御基板の交換時には、既設の制御基板を固定する固定ねじを取り外し、新たな制御基板をキャビネット内面に固定ねじでねじ止めする必要があり、制御基板の交換作業が煩雑となるおそれがあった。
【０００８】
本発明の目的は、制御基板を確実に固定できかつ容易に交換できる遊技機を提供することである。
【課題を解決するための手段】
【０００９】
本発明では、以下のようなものを提供する。
【００１０】
（１）  遊技に必要な識別情報を変動表示する変動表示手段（例えば、後述のリールユニット７３）と、遊技者が操作可能な操作手段（例えば、後述の停止ボタン７Ｌ，７Ｃ，７Ｒ）と、遊技者による前記操作手段の操作に基づいて前記変動表示手段を制御する主制御手段（例えば、後述の主制御回路７１１）と、画像表示による演出を行う画像表示手段（例えば、後述の液晶表示部５ａ）と、前記主制御手段から送信される信号に基づいて前記画像表示手段を制御する副制御手段（例えば、後述の副制御ユニット７２）と、これら手段が設けられた筐体（例えば、後述の筐体４）と、を備える遊技機であって、前記筐体は、キャビネット（例えば、後述のキャビネット６０）と、このキャビネットを開閉する前面ドア（例えば、後述の前面ドア２）と、を備え、前記前面ドアは、前面ドア本体（例えば、後述の前面ドア本体２ｂ）と、この前面ドア本体の裏面に設けられた内部ドア（例えば、後述のミドルドア４０）と、を備え、前記内部ドアは、内部ドア本体（例えば、後述のミドルドア本体４０ｂ）と、この内部ドア本体に着脱可能に取り付けられて前記主制御手段を収容する主制御収容手段（例えば、後述の主制御回路収容ケース７１２）と、前記主制御収容手段を前記内部ドア本体に固定する固定手段（例えば、後述の第１の固定機構８１０，第２の固定機構９００）と、を備えることを特徴とする遊技機。
【００１１】
（１）記載の遊技機によれば、前面ドアの裏面に内部ドアを設け、この内部ドアを、内部ドア本体、内部ドア本体に着脱可能に取り付けられた主制御収容手段、及び、主制御手段を内部ドア本体に固定する固定手段を含んで構成した。
これにより、例えば、主制御手段を交換する場合、前面ドアを開いて、内部ドアに取り付けられた主制御手段の主制御収容手段を取り外して、主制御収容手段に収容された主制御手段を交換する。その後、内部ドアの固定手段により、この主制御収容手段を内部ドア本体に固定する。
よって、主制御手段を内部ドア本体にねじ止めする必要がないので、制御基板を確実に固定できかつ容易に交換できる。
【００１２】
（２）  （１）に記載の遊技機において、前記主制御収容手段は、前記内部ドア本体に対して着脱可能であり、前記主制御収容手段には、位置決め突起（例えば、位置決め突起８０２Ａ，８０２Ｂ）が形成され、前記内部ドア本体には、前記位置決め突起が嵌合される位置決め穴（例えば、位置決め穴８０１Ａ，８０１Ｂ）が形成されることを特徴とする遊技機。
【００１３】
（２）記載の遊技機によれば、主制御収容手段に位置決め突起を形成し、内部ドア本体に位置決め突起が嵌合される位置決め穴を形成した。
これにより、例えば、主制御手段を内部ドア本体に取り付ける場合は、内部ドア本体の位置決め穴に主制御収容手段の位置決め突起を嵌合させるだけで、例えば、内部ドア本体に対する主制御収容手段の高さ方向と左右方向の取付位置が決定される。したがって、主制御手段を内部ドア本体の適正な位置に容易に取り付けできる。
【００１４】
（３）  （１）または（２）に記載の遊技機において、前記固定手段（例えば、第１の固定機構８１０）は、前記主制御収容手段から延出する爪部（例えば、爪部８１２）と、前記内部ドア本体から延出する平板部（例えば、平板部８１１）と、を備え、前記平板部には、前記爪部が係止される開口（例えば、開口８１１ｂ）が形成されることを特徴とする遊技機。
【００１５】
（３）記載の遊技機によれば、固定手段として、主制御収容手段から延出する爪部と、この爪部が係止される開口が形成されて内部ドア本体から延出する平板部と、を設けた。
これにより、例えば、主制御手段を内部ドア本体に取り付ける場合は、主制御手段の主制御収容手段を内部ドア本体に取り付けることで、爪部と平板部の開口とが係止する。したがって、新たな部材であるねじなどを使用しなくても、爪部と平板部の開口との係合により、主制御手段を内部ドア本体へ確実に固定できる。
【００１６】
（４）  （１）から（３）のいずれかに記載の遊技機において、前記固定手段（例えば、第２の固定機構９００）は、前記内部ドア本体に形成された第１の挿通孔（例えば、内部ドア挿通孔９０１Ａ，９０１Ｂ，９０１Ｃ，９０１Ｄ）と、前記主制御収容手段に形成され、前記内部ドア本体に取り付けられた状態では、前記内部ドア本体の第１の挿通孔に一致する第２の挿通孔（例えば、主制御挿通孔９６１Ａ，９６１Ｂ，９６１Ｃ，９６１Ｄ）と、前記第１の挿通孔及び前記第２の挿通孔に挿通される固定ピン（例えば、固定ピン９７０）と、を備え、前記固定ピンは、所定長さの首部（例えば、首部９７１）と、この首部の一端に設けられた頭部（例えば、頭部９７５）と、を備え、前記固定ピンの首部には、突起（例えば、突起９７２）が形成され、前記第２の挿通孔には、前記固定ピンの頭部が当接して係止可能であり、前記第１の挿通孔の内部には、前記固定ピンの挿通方向に傾斜した係止片（例えば、係止片９２１）が突設されることを特徴とする遊技機。
【００１７】
（４）記載の遊技機によれば、固定手段として、内部ドア本体に形成された第１の挿通孔と、主制御収容手段に形成された第２の挿通孔と、第１の挿通孔及び第２の挿通孔に挿通される固定ピンと、を設けた。また、固定ピンに、首部と、この首部の一端に設けた頭部と、を備え、固定ピンの首部に、突起を形成し、第２の挿通孔には、固定ピンの頭部が係止可能とし、第１の挿通孔の内部には、固定ピンの挿通方向に傾斜した係止片を突設させた。
よって、例えば、以下のような手順で主制御手段を内部ドア本体に取り付ける。まず、内部ドア本体の第１の挿通孔と、主制御収容手段の第２の挿通孔と、を一致させる。その後、これら第１の挿通孔及び第２の挿通孔に固定ピンを挿通する。すると、第１の挿通孔に設けられた係止片は、固定ピンの挿入方向に傾斜しているため、固定ピンの突起に押圧されて容易に弾性変形し、固定ピンの突起が係止片よりも第１の挿通孔の内部側になるとともに、固定ピンの頭部が第２の挿通孔に係止する。
【００１８】
また、固定ピンの頭部が第２の挿通孔に係止した状態で固定ピンを引き抜こうとしても、固定ピンの突起は、係止片よりも第１の挿通孔の内部側に位置しているため、この突起で係止片を押圧することになる。すると、この係止片は固定ピンの挿入方向に傾斜しているので、弾性変形しにくく、固定ピンの突起が係止片に引っかかる。
したがって、固定ピンを第１の挿通孔及び第２の挿通孔に挿通するだけで、固定ピンの頭部と第２の挿通孔との係合及び固定ピンの突起と第１の挿通孔の係止片との係合により、主制御手段を内部ドア本体へ確実に固定できる。
【００１９】
上述のように、固定ピンを容易に抜くことはできないので、以下のような手順で主制御手段を交換する。すなわち、主制御手段が収容された主制御収容手段の一部を切断することで、主制御収容手段を固定ピンが挿通された第２の挿通孔から分離する。その後、主制御収容手段を取り外して、主制御手段を交換する。
したがって、例えば、不正な目的で主制御手段を交換した場合でも、主制御収容手段の一部を切断する必要があることから、主制御収容手段の切断した痕跡を把握することで、不正行為を発見しやすくなる。
【００２０】
（５）  （１）から（４）のいずれかに記載の遊技機において、前記内部ドアは、前記主制御収容手段が前記内部ドア本体に取り付けられた状態で、前記主制御収容手段を前記内部ドア本体に固定する施錠手段（例えば、施錠機構８３０）を備え、前記施錠手段は、前記内部ドア本体に設けられ鍵（例えば、鍵８３１Ａ）が挿入された状態で固定片（例えば、固定片８３１Ｂ）を回動可能にする施錠部（例えば、施錠部８３１）と、前記主制御収容手段に形成され前記固定片が回動して係止する係止部（例えば、固定片係止部８３２）と、を備えることを特徴とする遊技機。
【００２１】
（５）記載の遊技機によれば、内部ドアに施錠手段を設け、この施錠手段を、内部ドア本体に設けられ鍵が挿入された状態で回動可能な固定片を含む施錠部と、主制御収容手段に形成され固定片が回動して係止する係止部と、を含んで構成した。
これにより、例えば、主制御収容手段を内部ドア本体に取り付けた状態で、内部ドア本体の施錠部に鍵を差し込んで、施錠部の固定片を回動させて、この固定片を主制御収容手段に形成された係止部に係止することで、主制御収容手段を内部ドア本体に施錠する。したがって、鍵を差し込まない限り、内部ドア本体の固定片と主制御収容手段の係止部の係止を解除することができないから、施錠部から鍵を抜いておくことで、不正行為を防ぐことができる。
【００２２】
（６）  （５）に記載の遊技機において、前記内部ドアは、前記前面ドア本体に対して開放可能に設けられ、前記施錠手段の施錠部は、前記内部ドア本体の前記前面ドア側に設けられ、前記内部ドアは、前記施錠部を前記前面ドア側から覆う施錠部カバー（例えば、施錠部カバー６６０）を備えることを特徴とする遊技機。
【００２３】
施錠部を内部ドアの前面ドア側に設けたので、内部ドアを開くと、内部ドアの前面ドア側の面が露出する。そのため、鍵を用いなくても、施錠部を操作して、内部ドア本体の固定片を回動させて開錠できる場合がある。
そこで、（６）記載の遊技機によれば、内部ドアに施錠部カバーを設けた。
これにより、内部ドアの前面ドア側の面が露出しても、施錠部を操作できないから、鍵を用いることなく施錠部が開錠されて、主制御収容手段が内部ドア本体から取り外されて、不正行為が行われるのを防止できる。
【００２４】
（７）  （６）に記載の遊技機において、前記主制御収容手段には、当該主制御収容手段が前記内部ドア本体に取り付けられた状態で、前記施錠部カバーを前記内部ドア本体に固定する固定部（例えば、カバー固定部９５１）が形成されていることを特徴とする遊技機。
【００２５】
（７）記載の遊技機によれば、主制御収容手段に、この主制御収容手段が内部ドア本体に取り付けられた状態で、施錠部カバーを内部ドア本体に固定する固定部を形成した。
これにより、主制御収容手段が内部ドア本体に取り付けられて施錠部により施錠された状態では、施錠部カバーを内部ドア本体から取り外すことができなくなる。よって、内部ドアを開いて内部ドアの前面ドア側の面が露出しても、施錠部カバーが取り外されるのを防止でき、不正行為をより確実に防止できる。
【発明の効果】
【００２６】
本発明の遊技機によれば、前面ドアの裏面に内部ドアを設け、この内部ドアを、内部ドア本体、内部ドア本体に着脱可能に取り付けられた主制御収容手段、及び、主制御手段を内部ドア本体に固定する固定手段を含んで構成した。これにより、例えば、主制御手段を交換する場合、前面ドアを開いて、内部ドアに取り付けられた主制御手段の主制御収容手段を取り外して、主制御収容手段に収容された主制御手段を交換する。その後、内部ドアの固定手段により、この主制御収容手段を内部ドア本体に固定する。よって、主制御手段を内部ドア本体にねじ止めする必要がないので、制御基板を確実に固定できかつ容易に交換できる。
【発明を実施するための最良の形態】
【００２７】
以下、実施例の遊技機について説明する。
【実施例１】
【００２８】
図１は、本発明の一実施例の遊技機１の外観を示す斜視図である。遊技機１は、いわゆる「パチスロ機」である。この遊技機１は、コイン、メダル、遊技球又はトークン等の他、遊技者に付与された、もしくは付与される遊技価値の情報を記憶したカード等の遊技媒体を用いて遊技する遊技機であるが、以下ではメダルを用いるものとして説明する。
【００２９】
遊技機１の全体を形成している筐体４は、箱状のキャビネット６０と、このキャビネット６０を開閉する前面ドア２と、を備える。この前面ドア２正面の略中央には、縦長矩形の表示窓４Ｌ，４Ｃ，４Ｒが設けられる。
表示窓４Ｌ，４Ｃ，４Ｒには、表示ラインとして、水平方向にトップライン８ｂ、センターライン８ｃ及びボトムライン８ｄ、斜め方向にクロスアップライン８ａ及びクロスダウンライン８ｅが設けられている。
【００３０】
これらの表示ラインは、後述の１−ＢＥＴスイッチ１１、２−ＢＥＴスイッチ１２、最大ＢＥＴスイッチ１３を操作すること（以下「ＢＥＴ操作」という）、或いはメダル投入口２２にメダルを投入することにより、それぞれ１本、３本、５本が有効化される。どの表示ラインが有効化されたかは、後で説明するＢＥＴランプ９ａ，９ｂ，９ｃの点灯で表示される。
【００３１】
ここで、表示ライン８ａ〜８ｅは、役の成否に関わる。具体的には、所定の役に対応する図柄組合せを構成する図柄がいずれかの有効ライン（有効化された表示ライン）に対応する所定の位置に並んで停止表示されることにより、所定の役が成立することとなる。
【００３２】
前面ドア２の裏面には、複数のリール３Ｌ，３Ｃ，３Ｒと、これらリール３Ｌ，３Ｃ，３Ｒを回転駆動するステッピングモータと、を収容する遊技に必要な識別情報を変動表示する変動表示手段としてのリールユニット７３がミドルドア４０を介して設けられている（図２）。なお、前面ドア２の裏面については、後に図２を参照して詳述する。
【００３３】
各リール３Ｌ，３Ｃ，３Ｒには、それぞれの外周面に、遊技に必要な複数種類の図柄によって構成される識別情報としての図柄列が描かれており、各々はリールユニット７３に回転自在に横一列に設けられている。各リール３Ｌ，３Ｃ，３Ｒの図柄は表示窓４Ｌ，４Ｃ，４Ｒを通して、遊技機１の外部から視認できるようになっている。また、各リール３Ｌ，３Ｃ，３Ｒは、定速回転（例えば８０回転／分）で回転し、図柄列を変動表示する。
【００３４】
表示窓４Ｌ，４Ｃ，４Ｒの上方には、画像表示手段としての液晶表示部５ａ、情報表示部１８、及びスピーカ９Ｌ，９Ｒが設けられる。液晶表示部５ａは、表示窓４Ｌ，４Ｃ，４Ｒよりも大きな表示面を備え、画像表示による演出を行う。情報表示部１８は、７セグメントＬＥＤから成り、貯留（クレジット）されているメダルの枚数、メダルの払出枚数等を表示する。また、スピーカ９Ｌ，９Ｒは、効果音や音声等の音による演出を行う。
【００３５】
表示窓４Ｌ，４Ｃ，４Ｒの左側には、１−ＢＥＴランプ９ａ、２−ＢＥＴランプ９ｂ、最大ＢＥＴランプ９ｃが設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。
【００３６】
１−ＢＥＴランプ９ａは、ＢＥＴ数が“１”で１本の表示ラインが有効化されたとき（１本の有効ラインが設定されたとき）に点灯する。２−ＢＥＴランプ９ｂは、ＢＥＴ数が“２”で３本の表示ラインが有効化されたとき（３本の有効ラインが設定されたとき）に点灯する。最大ＢＥＴランプ９ｃは、ＢＥＴ数が“３”で全て（５本）の表示ラインが有効化されたとき（全て（５本）の有効ラインが設定されたとき）に点灯する。
【００３７】
表示窓４Ｌ，４Ｃ，４Ｒの下方には、略水平面の台座部１０が形成されている。この台座部１０の略水平面内のうち、右側にはメダル投入口２２が設けられ、左側には１−ＢＥＴスイッチ１１、２−ＢＥＴスイッチ１２、及び最大ＢＥＴスイッチ１３が設けられる。
【００３８】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチ１１，１２，１３を操作することで、前述のとおり、所定の表示ラインが有効化される。
【００３９】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部１６に溜められる。Ｃ／Ｐスイッチ１４の右側には、遊技者の操作により上記リールを回転させ、表示窓４Ｃ内での図柄の変動表示を開始するためのスタートレバー６が所定の角度範囲で回動自在に取り付けられている。
【００４０】
台座部１０の前面部の略中央には、遊技者が操作可能な操作手段としての停止ボタン７Ｌ，７Ｃ，７Ｒが設けられている。これら３個の停止ボタン７Ｌ，７Ｃ，７Ｒは、３個のリール３Ｌ，３Ｃ，３Ｒの回転をそれぞれ停止させるために、遊技者が操作するボタンである。なお、実施例では、一のゲーム（単位遊技）は、基本的にスタートレバー６が操作されることにより開始し、全てのリール３Ｌ，３Ｃ，３Ｒが停止したときに終了する。
【００４１】
実施例では、全てのリールが回転しているときに行われるリールの停止操作（停止ボタンの操作）を「第１停止操作」、「第１停止操作」の後に行われる停止操作を「第２停止操作」、「第２停止操作」の後に行われる停止操作を「第３停止操作」という。
【００４２】
前面ドア２下部の正面には、メダルが払出されるメダル払出口１５と、この払出されたメダルを貯留するメダル受け部１６とが設けられている。また、前面ドア２下部の正面のうち、停止ボタン７Ｌ，７Ｃ，７Ｒとメダル受け部１６とに上下を挟まれた面には、機種のモチーフに対応したデザインがあしらわれた腰部パネル２０が取り付けられている。
【００４３】
図２から図３を参照して、前面ドア２の裏面の構成について説明する。
図２は、前面ドア２の裏面の構成を示す斜視図である。
図３は、前面ドア２の裏面の構成を示す部分斜視図である。
【００４４】
図２に示すように、前面ドア２は、この前面ドア２の本体を形成する前面ドア本体２ｂと、この前面ドア本体２ｂの裏面に開閉自在に設けられた内部ドアとしてのミドルドア４０と、を備える。
【００４５】
前面ドア本体２ｂの裏面には、サブベース４２を介して支持される副制御手段としての副制御ユニット７２の他、ミドルドア４０を開閉可能に支持する支持部４３が設けられている。
【００４６】
支持部４３は、図３に示すように、前面ドア本体２ｂ裏面の図３中右方に取り付けられる。この支持部４３には、ミドルドア４０に設けられる後述の回動軸４０６Ｃ，４０６Ｄがそれぞれ嵌合する図３中上下方向に延びる円筒状の軸受部４３１Ａ，４３１Ｂが形成されている。
【００４７】
図２に示すように、サブベース４２は、板状の部材であり、前面ドア２の前面に設けられた液晶表示部５ａを覆うようにして、前面ドア本体２ｂの裏面に複数のねじ４２１で取り付けられる。サブベース４２は、前面ドア本体２ｂの裏面に対し略平行に取り付けられる。また、サブベース４２の表面のうち、液晶表示部５ａを覆う領域は、略平らに形成されている。
【００４８】
副制御ユニット７２は、図３に示すように、液晶表示部５ａを制御する副制御回路７２１と、この副制御回路７２１を収容しサブベース４２の略平らに形成された領域に取り付けられる副制御回路収容ケース７２２と、液晶表示部５ａの画像表示に必要な画像情報が記憶されたＲＯＭカートリッジ７２３と、このＲＯＭカートリッジ７２３を覆うＲＯＭカバー７２４と、副制御回路７２１と他の装置とを接続するＩ／Ｏ基板７２５と、を備える。
【００４９】
副制御回路７２１は、後述の主制御回路７１１から送信される信号に基づいて液晶表示部５ａを制御する電子回路であり、サブベース４２の略平らに形成された領域のうち、図２中左方の領域に配置される。
すなわち、副制御回路７２１と液晶表示部５ａとは、サブベース４２を挟んで配置され、図示しない複数の配線で接続されている。このように、副制御回路７２１を液晶表示部５ａ裏面の近傍に設けることにより、これらの配線を短縮できる。
【００５０】
副制御回路収容ケース７２２は、略立方体状の箱であり、この副制御回路収容ケース７２２の内部には、副制御回路７２１が収められる。この副制御回路収容ケース７２２表面には、矩形状の開口７２２Ａが形成されている。この開口７２２Ａは、上述のＲＯＭカートリッジ７２３よりもやや大きく形成されている。ＲＯＭカートリッジ７２３は、この開口７２２Ａを通して副制御回路収容ケース７２２の内部に挿入され、これにより、副制御回路７２１にＲＯＭカートリッジ７２３が接続される。
【００５１】
ミドルドア４０には、内部ドア本体としてのミドルドア本体４０ｂと、主制御ユニット７１と、リールユニット７３と、が設けられている。
【００５２】
ミドルドア本体４０ｂには、主制御手段としての主制御ユニット７１を支持する主制御ユニットベース４０１及びリールユニット７３を支持するリールユニットベース４０２が設けられる。
【００５３】
ミドルドア本体４０ｂは、前面ドア２の裏面に沿って延出している。また、このミドルドア本体４０ｂは、略矩形状の部材であり、図３中上部と下部とに分けられる。ミドルドア本体４０ｂ上部は、主制御ユニット７１を支持する主制御ユニットベース４０１であり、ミドルドア本体４０ｂ下部は、リールユニット７３を支持するリールユニットベース４０２である。
【００５４】
主制御ユニットベース４０１は、主制御ユニット７１を略水平に支持する主制御ユニット支持部４０８と、主制御ユニット支持部４０８の上端に形成されて上述のＲＯＭカバー７２４を覆うプレート４０４と、を備える。
【００５５】
主制御ユニット支持部４０８には、主制御ユニット７１が主制御ユニット支持部４０８の延出方向に対して略直交方向から着脱可能となっている。
【００５６】
プレート４０４は、板状の部材であり、主制御ユニットベース４０１の上端から、略鉛直方向に延出する。また、このプレート４０４の略水平方向の幅は、ＲＯＭカバー７２４の幅よりも広く形成されている。
【００５７】
リールユニットベース４０２は、リールユニット７３を支持するリールユニット支持部４０９と、このリールユニット支持部４０９の図３中左側の端縁に設けられたミドルドア把持部４０７と、リールユニット支持部４０９のミドルドア把持部４０７の反対側の端縁（図３中右側の端縁）に設けられた回動軸部４０６と、を備える。
【００５８】
リールユニット支持部４０９は、前面ドア２に設けられた表示窓４Ｌ，４Ｃ，４Ｒの外縁と略同形のつば４０５が設けられ、これにより略矩形状の開口が形成されている。リールユニット７３は、このつば４０５を介してミドルドア４０に取り付けられる。
【００５９】
回動軸部４０６は、リールユニット支持部４０９から図３中右側方に延びる回動軸腕部４０６Ａ，４０６Ｂと、これら回動軸腕部４０６Ａ，４０６Ｂの先端から下方に向かって形成され、上述の軸受部４３１Ａ，４３１Ｂと嵌合する円柱状の回動軸４０６Ｃ，４０６Ｄと、を備える。
この回動軸４０６Ｃ，４０６Ｄを、それぞれ、軸受部４３１Ａ，４３１Ｂに上方から挿入して嵌合することにより、ミドルドア４０は、開閉可能かつ着脱自在に前面ドア本体２ｂの支持部４３に支持される。
【００６０】
ミドルドア把持部４０７は、リールユニット支持部４０９から図３中左側方に延びる把持腕部４０７Ａ，４０７Ｂと、この把持腕部４０７Ａ，４０７Ｂの先端同士を連結し凹凸が形成された円柱状の把持部本体４０７Ｃと、を備える。
【００６１】
リールユニット７３は、円筒状の複数のリール３Ｌ，３Ｃ，３Ｒと、これらリール３Ｌ，３Ｃ，３Ｒを回転駆動するステッピングモータと、これらリール３Ｌ，３Ｃ，３Ｒ及びステッピングモータを収容するリールボックス７３１と、を備える。
【００６２】
リールボックス７３１は、箱状の収容容器である。このリールボックス７３１の前面には、リールユニットベース４０２のつば４０５と略同形のつば７３２が形成されており、これにより開放面が形成される。各リール３Ｌ，３Ｃ，３Ｒは、この開放面に対して略垂直にして、リールボックス７３１に収納される。また、これらリール３Ｌ，３Ｃ，３Ｒには、それぞれ、回転軸と同軸にしてステッピングモータが取り付けられている。
このように構成されたリールユニット７３は、つば７３２をリールユニットベース４０２のつば４０５に合わせた状態で、図示しないねじで締め付けることにより取り付けられる。
【００６３】
主制御ユニット７１は、副制御ユニット７２やリールユニット７３等を制御する主制御回路７１１と、ミドルドア本体４０ｂの主制御ユニット支持部４０８に着脱可能に取り付けられて主制御回路７１１を収容する主制御収容手段としての主制御回路収容ケース７１２と、を備える。
【００６４】
主制御回路７１１は、遊技者による停止ボタン７Ｌ，７Ｃ，７Ｒの操作に基づいてリールユニット７３を制御する電子回路である。
【００６５】
主制御ユニット７１は、位置決め機構８００でミドルドア本体４０ｂに対して位置決めされるほか、第１の固定機構８１０、第２の固定機構９００によりミドルドア本体４０ｂに固定され、施錠手段としての施錠機構８３０によりミドルドア本体４０ｂに施錠される。これら位置決め機構８００と、第１の固定機構８１０と、第２の固定機構９００と、施錠機構８３０と、については、以下に詳述する。
【００６６】
図４は、ミドルドア本体４０ｂ及び主制御ユニット７１の構成を示す分解斜視図である。
図５は、ミドルドア４０から主制御ユニット７１を取り外した状態の正面図である。
【００６７】
主制御ユニット７１の主制御回路収容ケース７１２には、主制御回路収容ケース７１２の延出方向沿って位置決め突起８０２Ａ，８０２Ｂが形成されている。
ミドルドア本体４０ｂの主制御ユニット支持部４０８には、位置決め突起８０２Ａ，８０２Ｂが、主制御ユニット支持部４０８の延出方向に対して略直交方向から嵌合される位置決め穴８０１Ａ，８０１Ｂが形成されている。
これらの位置決め穴８０１Ａ，８０１Ｂと位置決め突起８０２Ａ，８０２Ｂとで、位置決め機構８００を構成する。
【００６８】
次に、位置決め機構８００を用いて、主制御ユニット７１をミドルドア本体４０ｂに位置決めする手順について説明する。
主制御ユニット７１の主制御回路収容ケース７１２をミドルドア本体４０ｂの主制御ユニット支持部４０８に主制御ユニット支持部４０８の延出方向に対して略直交方向から接近させる。すると、主制御ユニット支持部４０８の位置決め穴８０１Ａ，８０１Ｂに主制御回路収容ケース７１２の位置決め突起８０２Ａ，８０２Ｂが挿入されて嵌合する。これにより、ミドルドア本体４０ｂに対する主制御ユニット７１の高さ方向と左右方向の取付位置が決定される。
【００６９】
図６は、第１の固定機構８１０の構成を示す断面図である。
【００７０】
図４及び図５にも示すように、主制御ユニット７１の主制御回路収容ケース７１２には、この主制御回路収容ケース７１２に主制御回路収容ケース７１２の延出方向に沿って延出する爪部８１２が形成されている。爪部８１２は略鉛直方向に弾性変形可能である。
ミドルドア本体４０ｂの主制御ユニット支持部４０８には、ミドルドア本体４０ｂから主制御ユニット支持部４０８の延出方向に対して略直交方向に延出する平板部８１１が形成されている。平板部８１１には、爪部８１２が係止される開口８１１ｂが形成されている。
これらの平板部８１１と爪部８１２とで、第１の固定機構８１０を構成する。
【００７１】
次に、第１の固定機構８１０を用いて、主制御ユニット７１をミドルドア本体４０ｂに固定する手順について説明する。
主制御ユニット７１の主制御回路収容ケース７１２をミドルドア本体４０ｂの主制御ユニット支持部４０８に、主制御ユニット支持部４０８の延出方向に対して略直交する方向から接近させる。すると、主制御回路収容ケース７１２の爪部８１２が主制御ユニット支持部４０８の平板部８１１の表面に押圧されて弾性変形しつつ平板部８１１の表面に沿って挿入される。さらに深く挿入して、爪部８１２の先端が平板部８１１の開口８１１ｂに到達すると、爪部８１２の弾性変形が復元し、爪部８１２の先端が開口８１１ｂに係止する。
【００７２】
次に、主制御ユニット７１をミドルドア本体４０ｂから取外す手順について説明する。
爪部８１２を平板部８１１の下方に押下げる。すると、爪部８１２が弾性変形し、爪部８１２と平板部８１１の開口８１１ｂとの係止が解除される。この爪部８１２と開口８１１ｂとの係止が解除された状態で、主制御ユニット７１の主制御回路収容ケース７１２をミドルドア本体４０ｂの主制御ユニット支持部４０８から、主制御ユニット支持部４０８の延出方向に対して略直交する方向に引き抜く。
【００７３】
図７は、第２の固定機構９００の構成を示す分解斜視図である。
【００７４】
図４及び図５にも示すように、ミドルドア本体４０ｂの主制御ユニット支持部４０８の略中央には、第１の挿通孔としての内部ドア挿通孔９０１Ａ，９０１Ｂ，９０１Ｃ，９０１Ｄが形成された略直方体の封印部９０５が設けられている。
主制御ユニット７１の主制御回路収容ケース７１２には、第２の挿通孔としての主制御挿通孔９６１Ａ，９６１Ｂ，９６１Ｃ，９６１Ｄが形成されている。
また、内部ドア挿通孔９０１Ａ〜９０１Ｄ及び主制御挿通孔９６１Ａ〜９６１Ｄには、固定ピン９７０がそれぞれ挿通される。
【００７５】
封印部９０５は、上方が開口された箱状の封印ケース９１０と、封印ケース９１０の開口を覆う封印カバー９３０と、これら封印ケース９１０と封印カバー９３０との間に設けられた封印プレート９２０と、を備える。
【００７６】
封印ケース９１０には、長手方向に略等間隔で４つの円筒部９１１が設けられている。
封印カバー９３０には、４つの円筒部９１１に対応する位置に、４つの孔９３１が形成されている。
封印プレート９２０は、弾性変形可能な材料で形成されている。この封印プレート９２０には、円筒部９１１に対応する位置に４つの孔９２２が形成され、さらに、これら孔９２２の周囲には切り込みが形成されて、係止片９２１が形成される。これら係止片９２１は、円筒部９１１側に向かって折り曲げられている。
【００７７】
なお、図７では、封印ケース９１０、封印プレート９２０、及び封印カバー９３０が離れて示されているが、実際は、封印ケース９１０の端縁と、封印カバー９３０の上端とは溶着され、一体である。
【００７８】
これら封印ケース９１０、封印プレート９２０、及び封印カバー９３０を組み合わせることにより、各円筒部９１１の内部空間が略鉛直方向に延びる内部ドア挿通孔９０１Ａ〜９０１Ｄとなるとともに、封印プレート９２０の係止片９２１は、内部ドア挿通孔９０１Ａ〜９０１Ｄに突設されて、固定ピン９７０の挿通方向に傾斜することとなる。
【００７９】
主制御回路収容ケース７１２の先端部分には、上述の主制御挿通孔９６１Ａ，９６１Ｂ，９６１Ｃ，９６１Ｄがそれぞれ形成される筒状の主制御挿通部９６０Ａ，９６０Ｂ，９６０Ｃ，９６０Ｄが設けられている。
【００８０】
主制御挿通部９６０Ａ〜９６０Ｄの主制御挿通孔９６１Ａ〜９６１Ｄは、主制御ユニット７１の主制御回路収容ケース７１２をミドルドア本体４０ｂに取り付けた状態では、ミドルドア本体４０ｂの内部ドア挿通孔９０１Ａ，９０１Ｂ，９０１Ｃ，９０１Ｄに一致するようになっている。
主制御挿通部９６０Ａ〜９６０Ｄの下端側の開口には、固定ピン９７０の後述する首部９７１のみが挿通可能な内径を有し、後述する頭部９７５の下面が当接する円環状の底部が形成されている。
主制御挿通部９６０Ａ〜９６０Ｄは、それぞれ、第１の連結部９５０で主制御回路収容ケース７１２に連結されるとともに、第２の連結部９５５で互いに連結されている。
【００８１】
固定ピン９７０は、それぞれ、主制御挿通孔９６１Ａ〜９６１Ｄと内部ドア挿通孔９０１Ａ〜９０１Ｄとにまたがることが可能な長さの首部９７１と、この首部９７１の一端に設けられた頭部９７５と、を備える。
首部９７１の略中央部には、封印プレート９２０の係止片９２１に係止される複数の突起９７２が設けられている。
頭部９７５の外径は、主制御挿通部９６０Ａ〜９６０Ｄの底部に設けられた孔の内径より大きく形成されている。
【００８２】
これらの内部ドア挿通孔９０１Ａ，９０１Ｂ，９０１Ｃ，９０１Ｄと主制御挿通孔９６１Ａ，９６１Ｂ，９６１Ｃ，９６１Ｄと固定ピン９７０とで第２の固定機構９００を構成する。
【００８３】
次に、第２の固定機構９００を用いて、主制御ユニット７１をミドルドア本体４０ｂに固定する手順について説明する。
主制御ユニット７１の主制御回路収容ケース７１２をミドルドア本体４０ｂの主制御ユニット支持部４０８に、主制御ユニット支持部４０８の延出方向に対して略直交する方向から接近させる。すると、主制御回路収容ケース７１２の主制御挿通孔９６１Ａ〜９６１Ｄの下端と、主制御ユニット支持部４０８の内部ドア挿通孔９０１Ａ〜９０１Ｄの上端と、が一致する。その後、これら主制御挿通孔９６１Ａ〜９６１Ｄ及び内部ドア挿通孔９０１Ａ〜９０１Ｄの組合せのうちのいずれかに固定ピン９７０を挿通する。ここでは、主制御挿通孔９６１Ｂ及び内部ドア挿通孔９０１Ｂの組合せに固定ピン９７０を挿通する。
【００８４】
具体的には、固定ピン９７０の頭部９７５の下面が主制御挿通孔９６１Ｂの底部に当接するまで、固定ピン９７０を主制御挿通孔９６１Ｂに挿通する。
すると、図８に示すように、内部ドア挿通孔９０１Ｂに設けられた封印部９０５の係止片９２１は、固定ピン９７０の挿入方向に傾斜しているため、固定ピン９７０の突起９７２に押圧されて容易に弾性変形し、複数の突起９７２のうちの少なくとも１つが係止片９２１よりも内部ドア挿通孔９０１Ｂの内部側に位置する。
この状態では、係止片９２１よりも内部側に突起９７２が位置しているため、この突起９７２が係止片９２１を押圧することになる。すると、この係止片９２１は固定ピン９７０の挿入方向に傾斜しているため、弾性変形しにくく、突起９７２が係止片９２１に引っかかる。その結果、固定ピン９７０を内部ドア挿通孔９０１Ｂから引き抜きづらくなる。
【００８５】
次に、主制御ユニット７１をミドルドア本体４０ｂから取り外す手順について説明する。
本実施例では、主制御回路収容ケース７１２の主制御挿通部９６０Ｂに形成された主制御挿通孔９６１Ｂに固定ピン９７０を挿通したので、主制御挿通部９６０Ｂと主制御回路収容ケース７１２とを連結する第１の連結部９５０を切断する。また、主制御挿通部９６０Ｂと主制御挿通部９６０Ａ，主制御挿通部９６０Ｃとを連結する第２の連結部９５５を切断する。これにより、主制御挿通部９６０Ｂと主制御回路収容ケース７１２と、を分離する。
その後、主制御回路収容ケース７１２を主制御ユニット支持部４０８から、主制御ユニット支持部４０８の延出方向に対して略直交する方向に引き抜く。
【００８６】
また、図４に示すように、主制御回路収容ケース７１２は、主制御回路７１１が収容される基部７１２ａと、この基部７１２ａを覆う蓋部７１２ｂと、に分離可能であり、これら基部７１２ａと蓋部７１２ｂとは、主制御回路収容ケース固定機構７１５により固定される。
この主制御回路収容ケース固定機構７１５は、上述の第２の固定機構９００と同様の構成である。
基部７１２ａには、封印部９０５に相当する部材が設けられ、蓋部７１２ｂには、主制御挿通部９６０Ａ，９６０Ｂに相当する部材が第１の連結部９５０に相当する部材で連結されるとともに、第２の連結部９５５に相当する部材で互いに連結されている。
【００８７】
図９は、施錠機構８３０の構成を示す断面図である。
【００８８】
ミドルドア本体４０ｂの主制御ユニット支持部４０８には、回動可能な固定片８３１Ｂを有する施錠部８３１が設けられている。この施錠部８３１は、鍵８３１Ａが挿入された状態で、固定片８３１Ｂを回動できるようになっている。
主制御ユニット７１の主制御回路収容ケース７１２には、施錠部８３１の固定片８３１Ｂが回動して係止可能な係止部としての固定片係止部８３２が形成されている。固定片８３１Ｂが下方を向いた状態では、主制御回路収容ケース７１２をミドルドア本体４０ｂ着脱できるようになっている。一方、固定片８３１Ｂが下方から略９０度回動した状態では、この固定片８３１Ｂが固定片係止部８３２に挿入されており、主制御回路収容ケース７１２をミドルドア本体４０ｂから取り外せないようになっている。
これらの施錠部８３１と固定片係止部８３２とで、施錠機構８３０を構成する。
【００８９】
次に、施錠機構８３０を用いて、主制御ユニット７１をミドルドア本体４０ｂに施錠する手順について説明する。
図１０（Ａ）に示すように、主制御ユニット７１の主制御回路収容ケース７１２をミドルドア本体４０ｂの主制御ユニット支持部４０８に、主制御ユニット支持部４０８の延出方向に対して略直交する方向から接近させる。このとき、主制御ユニット支持部４０８の固定片８３１Ｂは、下方を向いた状態である。すると、主制御回路収容ケース７１２の固定片係止部８３２は固定片８３１Ｂの回動面上に位置する。
次に、図１０（Ｂ）に示すように、主制御ユニット支持部４０８の施錠部８３１に鍵８３１Ａを差し込んで、固定片８３１Ｂが下方から略９０度回動した方向を向くように、固定片８３１Ｂを回動させる。固定片８３１Ｂは、回動する方向から固定片係止部８３２に挿入され、下方から略９０度回動した方向を向いた状態で固定片係止部８３２と係止する。その後、施錠部８３１から鍵８３１Ａを抜くと固定片８３１Ｂを回動させることはできない。
【００９０】
次に、ミドルドア本体４０ｂに取り付けられた主制御ユニット７１を交換する手順について説明する。
図１１に示すように、キャビネット６０から前面ドア２を開いて、施錠部８３１に鍵８３１Ａを差し込んで、鍵８３１Ａの操作により、固定片８３１Ｂを下方へ回動させる。この鍵８３１Ａの操作により、固定片８３１Ｂは、固定片係止部８３２との係止を解除する。
また、本実施例では、内部ドア挿通孔９０１Ｂ及び主制御挿通孔９６１Ｂに、固定ピン９７０を挿通したので、主制御挿通孔９６１Ｂが形成されている主制御挿通部９６０Ｂと主制御回路収容ケース７１２と、を連結する第１の連結部９５０を切断する。また、主制御挿通部９６０Ｂと主制御挿通部９６０Ａ，主制御挿通部９６０Ｃと、を連結する第２の連結部９５５を切断する。
【００９１】
その後、爪部８１２を平板部８１１の下方に押下げ、爪部８１２と開口８１１ｂとの係止を解除する。爪部８１２と開口８１１ｂとの係止が解除された状態で、予め装着されていた主制御ユニット７１の主制御回路収容ケース７１２をミドルドア本体４０ｂの主制御ユニット支持部４０８から、主制御ユニット支持部４０８の延出方向に対して略直交する方向に引き抜き、ミドルドア本体４０ｂから主制御ユニット７１を取り外す。
【００９２】
次に、取り外した主制御ユニット７１の主制御回路７１１を交換して、この主制御ユニット７１の主制御回路収容ケース７１２の位置決め突起８０２Ａ，８０２Ｂを主制御ユニット支持部４０８の位置決め穴８０１Ａ，８０１Ｂに、主制御ユニット支持部４０８の延出方向に対して略直交する方向から接近させることで、爪部８１２が平板部８１１の表面に押圧されて弾性変形しつつ平板部８１１の表面に沿って挿入され、爪部８１２と開口８１１ｂとが係止する。
また、位置決め穴８０１Ａ，８０１Ｂに位置決め突起８０２Ａ，８０２Ｂを奥まで挿入することで、内部ドア挿通孔９０１Ａ，９０１Ｃ，９０１Ｄと、主制御挿通孔９６１Ａ，９６１Ｃ，９６１Ｄと、が一致する。
【００９３】
その後、すでに主制御挿通部９６０Ｂが切断されているので、内部ドア挿通孔９０１Ａ，９０１Ｃ，９０１Ｄ及び主制御挿通孔９６１Ａ，９６１Ｃ，９６１Ｄのうちのいずれかの組合せに固定ピン９７０を挿通させる。例えば、内部ドア挿通孔９０１Ａ及び主制御挿通孔９６１Ａに固定ピン９７０を挿通させる場合は、固定ピン９７０を主制御挿通孔９６１Ａが形成された主制御挿通部９６０Ａの底部まで挿通させる。すると、複数の突起９７２のうちの少なくとも１つが係止片９２１よりも内部ドア挿通孔９０１Ｂの内部方向側になるとともに、固定ピン９７０の頭部９７５が主制御挿通孔９６１Ｂの底部に係止する。
【００９４】
また、鍵８３１Ａの操作により、固定片８３１Ｂが下方から略９０度回動した方向を向くように、固定片８３１Ｂを回動させ、固定片係止部８３２に挿入し、下方から略９０度回動した方向を向いた状態で固定片係止部８３２と係止させる。
その後、施錠部８３１から鍵８３１Ａを抜く。
【００９５】
これにより、例えば、主制御ユニット７１の主制御回路７１１を交換する場合、前面ドア２を開いて、ミドルドア本体４０ｂの主制御ユニット支持部４０８に取り付けられた主制御ユニット７１の主制御回路収容ケース７１２を取り外して、主制御回路収容ケース７１２に収容された主制御回路７１１を交換する。その後、ミドルドア４０の第１の固定機構８１０，第２の固定機構９００により、この主制御回路収容ケース７１２を主制御ユニット支持部４０８に固定する。よって、主制御ユニット７１をミドルドア本体４０ｂにねじ止めする必要がないので、主制御回路７１１を確実に固定できかつ容易に交換できる。
【００９６】
また、例えば、主制御ユニット７１をミドルドア本体４０ｂに取り付ける場合は、主制御ユニット支持部４０８の位置決め穴８０１Ａ，８０１Ｂに主制御回路収容ケース７１２の位置決め突起８０２Ａ，８０２Ｂを嵌合させるだけで、ミドルドア本体４０ｂに対する主制御回路収容ケース７１２の高さ方向と左右方向の取付位置が決定される。したがって、主制御ユニット７１をミドルドア本体４０ｂの適正な位置に容易に取り付けできる。
また、主制御回路収容ケース７１２を主制御ユニット支持部４０８に、主制御ユニット支持部４０８の延出方向に対して略直交する方向から取り付けることで、爪部８１２と平板部８１１の開口８１１ｂとが係止する。したがって、新たな部材であるねじなどを使用しなくても、爪部８１２と平板部８１１の開口８１１ｂとの係合により、主制御ユニット７１をミドルドア本体４０ｂへ確実に固定できる。
また、固定ピン９７０の頭部９７５が主制御挿通孔９６１Ｂに係止した状態で固定ピン９７０を引き抜こうとしても、固定ピン９７０の突起９７２は、係止片９２１よりも内部ドア挿通孔９０１Ｂの内部側に位置しているため、この突起９７２で係止片９２１を押圧することになる。すると、この係止片９２１は固定ピン９７０の挿入方向に傾斜しているので、弾性変形しにくく、固定ピン９７０の突起９７２が係止片９２１に引っかかる。したがって、固定ピン９７０を内部ドア挿通孔９０１Ｂ及び主制御挿通孔９６１Ｂに挿通するだけで、固定ピン９７０の頭部９７５と主制御挿通孔９６１Ｂとの係合及び固定ピン９７０の突起９７２と内部ドア挿通孔９０１Ｂの係止片９２１との係合により、主制御ユニット７１をミドルドア本体４０ｂへ確実に固定できる。
さらに、固定ピン９７０を容易に抜くことはできないので、以下のような手順で主制御回路７１１を交換する。すなわち、主制御回路７１１が収容された主制御回路収容ケース７１２の第１の連結部９５０及び第２の連結部９５５を切断することで、主制御回路収容ケース７１２を固定ピン９７０が挿通された主制御挿通孔９６１Ｂから分離する。その後、主制御回路収容ケース７１２を取り外して、主制御回路７１１を交換する。
したがって、例えば、不正な目的で主制御回路７１１を交換した場合でも、主制御回路収容ケース７１２の第１の連結部９５０及び第２の連結部９５５を切断する必要があることから、主制御回路収容ケース７１２の切断した痕跡を把握することで、不正行為を発見しやすくなる。
さらに、固定ピン９７０でミドルドア本体４０ｂに固定された主制御ユニット７１を取り外すために、主制御回路収容ケース７１２から主制御挿通部９６０Ｂを分離しても、この主制御回路収容ケース７１２には、主制御挿通部９６０Ａ，９６０Ｃ，９６０Ｄが残っているので、再度、固定ピン９７０により、主制御回路収容ケース７１２を主制御ユニット支持部４０８に固定できる。すなわち、固定ピン９７０でミドルドア本体４０ｂに固定された主制御ユニット７１の取り外しと取り付けを３回まで繰り返すことができる。
【００９７】
また、鍵８３１Ａを差し込まない限り、主制御ユニット支持部４０８の固定片８３１Ｂと主制御回路収容ケース７１２の固定片係止部８３２の係止を解除することができないから、施錠部８３１から鍵８３１Ａを抜いておくことで、不正行為を防ぐことができる。
【実施例２】
【００９８】
図１２から図１７を参照して、実施例２の遊技機について説明する。
なお、以下の実施例２の説明にあたって、実施例１と同一構成要件については同一符号を付し、その説明を省略もしくは簡略化する。
【００９９】
本実施例の遊技機では、ミドルドア２４０の主制御ユニット２７１と、ミドルドア本体２４０ｂと、の構成が実施例１の遊技機１と異なる。
より具体的には、主制御ユニット２７１の主制御回路収容ケース９１２には、カバー固定部９５１がさらに形成されている点と、ミドルドア本体２４０ｂの主制御ユニットベース６０１は、主制御ユニット支持部６０８に着脱可能な施錠部カバー６６０をさらに備え、主制御ユニットベース６０１の主制御ユニット支持部６０８には、カバー固定部９５１が挿通する開口６８２がさらに形成されている点と、が実施例１と異なる。
【０１００】
図１２は、主制御ユニット２７１の構成を示す斜視図である。
主制御回路収容ケース９１２の基部９１２ａには、固定片係止部８３２の近傍から、位置決め突起８０２Ｂと略平行に延出する固定部としてのカバー固定部９５１が形成されている。
このカバー固定部９５１は、板状であり、このうち、位置決め突起８０２Ｂ側の面は、主制御ユニット２７１が主制御ユニット支持部６０８に取り付けられた状態で、施錠部カバー６６０の表面に接するカバー固定面９５２となっている。
【０１０１】
図１３は、ミドルドア本体２４０ｂの主制御ユニットベース６０１の裏面の構成を示す部分斜視図である。ここで、ミドルドア本体２４０ｂの裏面とは、ミドルドア２４０を閉じた場合に前面ドア本体２ｂの裏面と対向する面を指す。すなわち、ミドルドア本体２４０ｂの表面は、ミドルドア２４０を閉じた場合にキャビネット６０と対向する面であり、鍵８３１Ａは、このミドルドア本体２４０ｂの表面側から挿入可能である。
【０１０２】
ミドルドア本体２４０ｂの主制御ユニット支持部６０８の裏面側には、施錠部８３１が設けられており、この施錠部８３１の周囲には、鍵８３１Ａが挿入される方向に沿って、施錠部８３１よりも高く延出する延出部６８３がさらに形成されている。
この延出部６８３には、主制御ユニット支持部６０８の表裏を貫通する略矩形状の開口６８２が形成されている。
【０１０３】
実施例１で説明したようにして位置決め機構８００で主制御ユニット２７１がミドルドア本体２４０ｂに位置決めされると、主制御ユニット２７１のカバー固定部９５１が開口６８２内を挿通し、固定片係止部８３２が開口６８２内に位置する。
ここで、上述の主制御ユニット２７１のカバー固定部９５１は、主制御ユニット２７１をミドルドア本体２４０ｂに取り付けた場合に、そのカバー固定面９５２が、主制御ユニット支持部６０８の開口６８２から、所定間隔あけて位置するようになっている。
【０１０４】
また、この延出部６８３で囲まれた領域のうち、施錠部８３１の下方には、この延出部６８３と略平行に突出する円柱状のカバー位置決め突起６８４が、さらに形成されている。
【０１０５】
図１４は、主制御ユニットベース６０１の施錠部カバー６６０の構成を示す斜視図である。
図１５は、主制御ユニットベース６０１の施錠部カバー６６０の内側の構成を示す斜視図である。
施錠部カバー６６０は、略箱状であり、カバー本体６６２と、このカバー本体６６２の周縁に立設された外周部６６１と、を備える。
この施錠部カバー６６０は、上述の延出部６８３で囲まれた空間に挿入されて、外周部６６１が主制御ユニット支持部６０８の延出部６８３の内周面に当接するとともに、カバー本体６６２が主制御ユニット支持部６０８の裏面側に取り付けられる。
【０１０６】
この外周部６６１には、切り欠き部６６６が形成され、この切り欠き部６６６には、さらにスリット６６３Ｂ，６６３Ｃが形成されている。これらスリット６６３Ｂ，６６３Ｃの間には、外周部６６１から外側へ突出する爪６６３Ａが設けられ、これにより、外周部６６１の内側に弾性変形可能な爪部６６３が形成されている。
この爪６６３Ａは、施錠部カバー６６０が延出部６８３で囲まれた空間に挿入されると、開口６８２に係止する。
【０１０７】
ここで、施錠部カバー６６０の爪部６６３の厚みは、主制御ユニット２７１をミドルドア本体２４０ｂに取り付けた場合に、上述の主制御ユニット２７１のカバー固定部９５１のカバー固定面９５２と、主制御ユニット支持部６０８の開口６８２との間隔と略等しくなっている（後述の図１７参照）。
【０１０８】
また、図１５に示すように、施錠部カバー６６０の内側には、カバー本体６６２から外周部６６１の延出方向に延びる円筒状のカバー位置決め部６６４が設けられており、この内部は、上述のミドルドア本体２４０ｂのカバー位置決め突起６８４が嵌合するカバー位置決め穴６６５となっている。
【０１０９】
図１６は、ミドルドア本体２４０ｂの主制御ユニットベース６０１の裏面の構成を示す部分斜視図であり、施錠部カバー６６０及び主制御ユニット２７１がミドルドア本体２４０ｂに取り付けられた状態を示す図である。なお、施錠部カバー６６０をミドルドア本体２４０ｂに取り付ける手順については、後に図１７を参照して詳述する。
【０１１０】
上述のようにして構成された施錠部カバー６６０は、外周部６６１を延出部６８３に沿って挿入して、爪部６６３の爪６６３Ａを開口６８２に係止させるとともに、カバー位置決め穴６６５にカバー位置決め突起６８４を嵌合させることによって、ミドルドア本体２４０ｂに取り付けることができる。このようにして取り付けることにより、施錠部カバー６６０は、施錠部８３１を前面ドア２側から覆う。また、施錠部カバー６６０が主制御ユニット支持部６０８に取り付けられた状態では、爪部６６３の外側の面は、延出部６８３に接することとなる。
【０１１１】
また、上述のように、主制御ユニット２７１のカバー固定部９５１のカバー固定面９５２と、主制御ユニット支持部６０８の開口６８２との間隔は、爪部６６３の厚みと略等しい。
これにより、主制御ユニット２７１がミドルドア本体２４０ｂに取り付けられた状態では、カバー固定部９５１のカバー固定面９５２は、施錠部カバー６６０の爪部６６３の内側の面と密着し、施錠部カバー６６０を主制御ユニット支持部６０８に固定する。
【０１１２】
図１７は、ミドルドア本体２４０ｂの主制御ユニットベース６０１の構成を示す断面図であり、主制御ユニット２７１のカバー固定部９５１及び施錠部カバー６６０の爪部６６３を含む略水平な平面に沿った断面図である。
【０１１３】
施錠部カバー６６０を、ミドルドア本体２４０ｂに固定する手順について説明する。
まず、施錠部カバー６６０を主制御ユニット支持部６０８に仮止めする。
具体的には、ミドルドア２４０を開いた状態にし、施錠部８３１を露出させる。次に、主制御ユニット支持部６０８のカバー位置決め突起６８４に、施錠部カバー６６０のカバー位置決め穴６６５を合わせて施錠部カバー６６０の挿入位置を決めるとともに、カバー本体６６２を押圧して、施錠部カバー６６０を主制御ユニット支持部６０８に接近させる。すると、施錠部カバー６６０の爪部６６３が主制御ユニット支持部６０８の延出部６８３の内面に押圧されて弾性変形しつつ延出部６８３の内面に沿って挿入される。さらに深く挿入して、爪部６６３の爪６６３Ａが延出部６８３の開口６８２に到達すると、爪部６６３の弾性変形が復元し、爪６６３Ａが開口６８２に係止するとともに、カバー位置決め突起６８４がカバー位置決め穴６６５に嵌合する。
これにより、施錠部カバー６６０は、主制御ユニット支持部６０８の裏面側に仮止めされて、施錠部８３１を覆うとともに、開口６８２を主制御ユニット支持部６０８の裏面側から覆う。
【０１１４】
次に、主制御ユニット２７１をミドルドア本体２４０ｂに取り付ける。
具体的には、実施例１で説明したようにして、位置決め機構８００及び第１の固定機構８１０を用いて、主制御ユニット２７１をミドルドア本体２４０ｂに取り付ける。すると、主制御ユニット２７１のカバー固定部９５１が開口６８２内を挿通し、カバー固定面９５２が施錠部カバー６６０の爪部６６３の内側の面と密着し、この爪部６６３の弾性変形を規制する。これにより、カバー固定部９５１は、主制御ユニット２７１が主制御ユニット支持部６０８に取り付けられた状態で、施錠部カバー６６０を主制御ユニット支持部６０８に固定する。
これにより、主制御ユニット２７１は、ミドルドア本体２４０ｂに取り付けられて、施錠部カバー６６０を固定するとともに、開口６８２を主制御ユニット支持部６０８の前面側から覆う。
【０１１５】
また、以上のようにして、主制御ユニット２７１がミドルドア本体２４０ｂに取り付けられると、主制御ユニット２７１の固定片係止部８３２は、主制御ユニット支持部６０８の開口６８２内に位置する。これにより、実施例１で説明したようにして、施錠機構８３０を用いて、主制御ユニット２７１をミドルドア本体２４０ｂに施錠及び開錠することが可能となる。
【０１１６】
以上のように構成された本実施例の遊技機によれば、主制御ユニット２７１がミドルドア本体２４０ｂに取り付けられて施錠部８３１により施錠された状態では、施錠部カバー６６０は、施錠部８３１を覆った状態でミドルドア本体２４０ｂから取り外すことができなくなる。
よって、ミドルドア２４０を開放して、その前面ドア２側の面を露出させても、施錠部８３１は施錠部カバー６６０で覆われて操作できなくなり、不正行為が行われるのを防止できる。
【０１１７】
以上、実施例について説明したが、本発明はこれに限られるものではない。
【０１１８】
実施例２では、施錠部カバー６６０の爪部６６３を固定するカバー固定部９５１を、主制御回路収容ケース９１２の基部９１２ａに形成したが、これに限らない。例えば、カバー固定部を、主制御回路収容ケースの蓋部に設けてもよいし、基部及び蓋部の両方に形成してもよい。
【図面の簡単な説明】
【０１１９】
【図１】遊技機の外観を示す斜視図である。
【図２】前面ドアの裏面の構成を示す斜視図である。
【図３】前面ドアの裏面の構成を示す部分斜視図である。
【図４】ミドルドア本体及び主制御ユニットの構成を示す分解斜視図である。
【図５】ミドルドアから主制御ユニットを取り外した状態の正面図である。
【図６】第１の固定機構の構成を示す断面図である。
【図７】第２の固定機構の構成を示す分解斜視図である。
【図８】固定後の第２の固定機構を示す図である。
【図９】施錠機構の構成を示す断面図である。
【図１０】（Ａ）は、施錠前の施錠機構を示す断面図である。（Ｂ）は、施錠後の施錠機構を示す断面図である。
【図１１】前面ドアをキャビネットから開いた状態を示す斜視図である。
【図１２】主制御ユニットの構成を示す斜視図である。
【図１３】主制御ユニットベースの裏面の構成を示す斜視図である。
【図１４】施錠部カバーの構成を示す斜視図である。
【図１５】施錠部カバーの内側の構成を示す斜視図である。
【図１６】主制御ユニットベースの裏面の構成を示す部分斜視図である。
【図１７】主制御ユニットベースの裏面の構成を示す断面図である。
【符号の説明】
【０１２０】
１      遊技機
２      前面ドア
２ｂ      前面ドア本体
４      筐体
４０      ミドルドア
４０ｂ      ミドルドア本体
６０      キャビネット
７１      主制御ユニット
７１１      主制御回路
７１２      主制御回路収容ケース
８０１Ａ，８０１Ｂ      位置決め穴
８０２Ａ，８０２Ｂ      位置決め突起
８１０      第１の固定機構
８１１      平板部
８１１ｂ      開口
８１２      爪部
８３０      施錠機構
８３１      施錠部
８３１Ａ      鍵
８３１Ｂ      固定片
８３２      固定片係止部
９００      第２の固定機構
９０１Ａ，９０１Ｂ，９０１Ｃ，９０１Ｄ      内部ドア挿通孔
９２１      係止片
９６１Ａ，９６１Ｂ，９６１Ｃ，９６１Ｄ      主制御挿通孔
９７０      固定ピン
９７１      首部
９７５      頭部
９７２      突起
【図１】
2007229431.tif 000003
【図２】
2007229431.tif 000004
【図３】
2007229431.tif 000005
【図４】
2007229431.tif 000006
【図５】
2007229431.tif 000007
【図６】
2007229431.tif 000008
【図７】
2007229431.tif 000009
【図８】
2007229431.tif 000010
【図９】
2007229431.tif 000011
【図１０】
2007229431.tif 000012
【図１１】
2007229431.tif 000013
【図１２】
2007229431.tif 000014
【図１３】
2007229431.tif 000015
【図１４】
2007229431.tif 000016
【図１５】
2007229431.tif 000017
【図１６】
2007229431.tif 000018
【図１７】
2007229431.tif 000019